【手続補正書】
【提出日】平成18年1月31日(2006.1.31)
【手続補正１】
【補正対象書類名】明細書
【補正対象項目名】全文
【補正方法】変更
【補正の内容】
【書類名】    明細書
【発明の名称】  画像形成装置
【特許請求の範囲】
【請求項１】  画像形成部と、この画像形成部の上に固定された画像読取部と、この画像読取部の上にヒンジ部材により開閉可能に支持されている自動原稿送り装置と、を有する画像形成装置であって、前記ヒンジ部材と対向する反対側に前記画像読取部と前記画像形成部の端部を固定する固定部材を有し、かつ、この固定部材の一部が弾性変形可能な弾性部材で構成されていることを特徴とする画像形成装置。
【請求項２】  画像形成部と、この画像形成部の上に固定された画像読取部と、この画像読取部の上にヒンジ部材により開閉可能に支持されている自動原稿送り装置と、を有する画像形成装置であって、前記ヒンジ部材と対向する反対側に前記画像読取部と前記画像形成部の端部を固定する固定部材を有し、かつ、この固定部材は、弾性変形可能な弾性部材と、この弾性部材の上下端部に固定された取付穴を有する取付片と、これらの取付片の取付穴を挿通し先端部が前記画像読取部と前記画像形成部の雌ネジ穴に螺合する雄ネジと、から構成されていることを特徴とする画像形成装置。
【請求項３】  画像形成部と、この画像形成部の上に固定された画像読取部と、この画像読取部の上にヒンジ部材により開閉可能に支持されている自動原稿送り装置と、を有する画像形成装置であって、前記ヒンジ部材と対向する反対側に前記画像読取部と前記画像形成部の端部を固定する固定部材を有し、かつ、この固定部材は、弾性変形可能な弾性横軸と、この弾性横軸の上端部に固定され第１の取付穴を有する第１の取付片と、弾性横軸の一側端部に固定され第２の取付穴を有する第２の取付片と、前記第１の取付片の第１の取付穴を挿通し先端部が画像読取部の雌ネジ穴に螺合する雄ネジと、前記第２の取付片の第２の取付穴を挿通し先端部が画像形成部の雌ネジ穴に螺合する雄ネジと、から構成されていることを特徴とする画像形成装置。
【発明の詳細な説明】
【０００１】
【発明が属する技術分野】
本発明は、電子写真式の複写機、プリンタ、ファクシミリ装置またはこれらの複合機等の画像形成装置に関し、画像読取部および自動原稿送り装置を備えた画像形成装置に関する。
【０００２】
【従来の技術】
従来より、この種の画像形成装置として、図５、図６および図７に示すものが知られている。図５は従来の画像形成装置を示す概略側面図である。図６は図５の従来の画像形成装置に装備した自動原稿送り装置を開放した状態を示す概略側面図である。図７は従来の他の画像形成装置を示す概略側面図である。図５および図６に示すように、従来の画像形成装置１０１は、画像形成部（プリンタ部）１０２と、この画像形成部１０２の上に固定された画像読取部（スキャナ）１０３と、この画像読取部１０３の上にヒンジ部材１０４により開閉可能に支持されている自動原稿送り装置１０５とを有している。画像読取部１０３の端部の取付片と画像形成部１０２の端部の取付片とは、ネジ１０６により固定されている。また、図７に示すように、従来の画像形成装置１０１は、画像形成部１０２と、この画像形成部１０２の上に固定された２つの固定支持部材１０７と、この固定支持部材１０７の上に固定された画像読取部１０３と、この画像読取部１０３の上にヒンジ部材１０４により開閉可能に支持されている自動原稿送り装置１０５とを有している。
【０００３】
【発明が解決しようとする課題】
しかしながら、図５および図６に示す従来の画像形成装置においては、オペレータが自動原稿送り装置１０５に開放力ＦＡ（図６参照）を加えて自動原稿送り装置を勢いよく開放すると、ヒンジ部材１０４と対向する反対側に位置する画像読取部１０３と画像形成部１０２の端部を固定するネジ１０６の近傍に大きな力ＦＢ（図６参照）が加わるため、ネジ１０６の近傍の画像読取部１０３と画像形成部１０２の一部（枠体の固定部、または、これより剛性が弱い画像読取部１０３および画像形成部１０２のフレーム等）が塑性変形し、または、破損するという問題がある。
また、図６に示す従来の画像形成装置においては、画像読取部１０３の一端部を固定支持部材１０７で支持しているから、オペレータが自動原稿送り装置１０５に開放力ＦＡ（図７参照）を加えて自動原稿送り装置１０５を勢いよく開放すると、画像読取部１０３と固定支持部材１０７との固定部の近傍には大きな力が加わるため、その固定部の近傍が塑性変形し、または、破損するという問題がある。
本発明の目的は、画像形成部と、この画像形成部の上に固定された画像読取部と、この画像読取部の上にヒンジ部材により開閉可能に支持されている自動原稿送り装置とを有する画像形成装置において、オペレータが過大な力で自動原稿送り装置を開放しても、画像読取部および画像形成部の変形および破損を防止することができる画像形成装置を提供することにある
【０００４】
【課題を解決するための手段】
前記課題を解決するために、請求項１に記載の発明は、画像形成部と、この画像形成部の上に固定された画像読取部と、この画像読取部の上にヒンジ部材により開閉可能に支持されている自動原稿送り装置とを有する画像形成装置であって、前記ヒンジ部材と対向する反対側に前記画像読取部と前記画像形成部の端部を固定する固定部材を有し、かつ、この固定部材の一部が弾性変形可能な弾性部材で構成されていることを特徴とする。
請求項２に記載の発明は、画像形成部と、この画像形成部の上に固定された画像読取部と、この画像読取部の上にヒンジ部材により開閉可能に支持されている自動原稿送り装置とを有する画像形成装置であって、前記ヒンジ部材と対向する反対側に前記画像読取部と前記画像形成部の端部を固定する固定部材を有し、かつ、この固定部材は、弾性変形可能な弾性部材と、この弾性部材の上下端部に固定された取付穴を有する取付片と、これらの取付片の取付穴を挿通し先端部が前記画像読取部と前記画像形成部の雌ネジ穴に螺合する雄ネジとから構成されていることを特徴とする。
請求項３に記載の発明は、画像形成部と、この画像形成部の上に固定された画像読取部と、この画像読取部の上にヒンジ部材により開閉可能に支持されている自動原稿送り装置とを有する画像形成装置であって、前記ヒンジ部材と対向する反対側に前記画像読取部と前記画像形成部の端部を固定する固定部材を有し、かつ、この固定部材は、弾性変形可能な弾性横軸と、この弾性横軸の上端部に固定され第１の取付穴を有する第１の取付片と、弾性横軸の一側端部に固定され第２の取付穴を有する第２の取付片と、前記第１の取付片の第１の取付穴を挿通し先端部が画像読取部の雌ネジ穴に螺合する雄ネジと、前記第２の取付片の第２の取付穴を挿通し先端部が画像形成部の雌ネジ穴に螺合する雄ネジとから構成されていることを特徴とする。
【０００５】
【発明の実施の形態】
次に、本発明の実施の形態を図面に基づいて詳細に説明する。
図１は本発明の第１の実施の形態に係る画像形成装置を示す概略側面図である。
図１に示すように、画像形成装置１は、画像形成部（プリンタ部）２と、この画像形成部２の上に固定された固定支持部材３と、この固定支持部材３の上に固定された画像読取部（スキャナ）４と、この画像読取部４の上にヒンジ部材５により開閉可能に支持されている自動原稿送り装置６とを有している。
ヒンジ部材５と対向する反対側に位置する画像形成部２と画像読取部４の端部は、固定部材７により固定されている。
この固定部材７は、弾性変形可能な弾性部材８と、この弾性部材８の上下端部に固定された取付穴を有する２つの取付片９、１０と、上の取付片９の取付穴を挿通し先端部が画像読取部４の枠体の雌ネジ穴に螺合する雄ネジ１１と、下の取付片１０の取付穴を挿通し先端部が画像形成部２の枠体の雌ネジ穴に螺合する雄ネジ１２とから構成されている。
弾性部材７は、強度があり、かつ、弾性変形が少ないものが望ましい。弾性部材７は、例えばブチルゴム、クロロプレンゴムまたはニトリルゴムなどの硬度が６０度以上のもので形成される。
この本発明の第１の実施の形態に係る画像形成装置１においては、自動原稿送り装置６をオペレータが過大な力で開放し、ヒンジ部材５と対向する反対側に位置する画像読取部４と画像形成部２の端部を固定する固定部材７の近傍に大きな力が加わっても、この大きな力を固定部材７の弾性部材８が吸収する。
これにより、画像読取部４および画像形成部２の変形および破損を防止することができる。なお、自動原稿送り装置６のヒンジ部材５の側における後方にも、弾性部材を取り付けるようにしてもよい。
【０００６】
次に、本発明の第２の実施の形態を図面に基づいて詳細に説明する。
図２は本発明の第２の実施の形態に係る画像形成装置を示す概略側面図である。
図３は図２の画像形成装置の画像読取部と画像形成部の端部を固定する固定部材を示す拡大斜視図である。
図２に示すように、画像形成装置１は、画像形成部２と、この画像形成部２の上に固定された固定支持部材３と、この固定支持部材３の上に固定された画像読取部４と、この画像読取部４の上にヒンジ部材５により開閉可能に支持されている自動原稿送り装置６とを有している。
ヒンジ部材５と対向する反対側に位置する画像読取部４と画像形成部２の端部は、固定部材１３により固定されている。
図２および図３に示すように、この固定部材１３は、弾性変形可能な弾性横軸１４と、この弾性横軸１４の上端部に固定され取付穴１５ａを有する取付片１５と、弾性横軸１４の一側端部に固定され取付穴１６ａを有する取付片１６と、取付片１５の取付穴１５ａを挿通し先端部が画像読取部４の枠体の雌ネジ穴に螺合する雄ネジ１７と、取付片１６の取付穴１６ａを挿通し先端部が画像形成部２の固定支持部材１８の雌ネジ穴に螺合する雄ネジ１９とから構成されている。
弾性横軸１４は、強度があり、かつ、弾性変形が少ないものが望ましい。弾性部材１４は、例えばブチルゴム、クロロプレンゴムまたはニトリルゴムなどの硬度が６０度以上のもので形成される。
この本発明の第２の実施の形態に係る画像形成装置１においては、自動原稿送り装置６をオペレータが過大な力で開放し、ヒンジ部材５と対向する反対側に位置する画像読取部４と画像形成部２の端部を固定する固定部材１３の近傍に大きな力が加わっても、この大きな力を固定部材１３の弾性横軸１４が吸収する。
これにより、画像読取部４および画像形成部２の変形および破損を防止することができる。
なお、前記本発明の第１および第２の実施の形態において、雄ネジ１１、１２、１７、１９の代わりに図４に示す弾性部材２０ａを有する雄ネジ２０を用いてもよい。この雄ネジ２０は、頭部２０ｂとネジ部２０ｃとの間に取り付けられている弾性部材２０ａを有する。
【０００７】
【発明の効果】
以上のように、請求項１に記載の発明は、自動原稿送り装置をオペレータが想像を超える力で開放し、ヒンジ部材と対向する反対側に位置する画像読取部と画像形成部の端部を固定する固定部材の近傍に大きな力が加わっても、この大きな力を固定部材の一部の弾性部材が吸収するから、画像読取部および画像形成部の変形および破損を防止することができる。
請求項２に記載の発明は、自動原稿送り装置をオペレータが過大力で開放し、ヒンジ部材と対向する反対側に位置する画像読取部と画像形成部の端部を固定する固定部材の近傍に大きな力が加わっても、この大きな力を固定部材の弾性部材が吸収するから、画像読取部や画像形成部の変形および破損を防止することができる。
請求項３に記載の発明は、自動原稿送り装置をオペレータが過大な力で開放し、ヒンジ部材と対向する反対側に位置する画像読取部と画像形成部の端部を固定する固定部材の近傍に大きな力が加わっても、この大きな力を固定部材の弾性横軸が吸収するから、画像読取部および画像形成部の変形および破損を防止することができる。
【図面の簡単な説明】
【図１】  本発明の第１の実施の形態に係る画像形成装置を示す概略側面図である。
【図２】  本発明の第２の実施の形態に係る画像形成装置を示す概略側面図である。
【図３】  図２の画像形成装置の画像読取部と画像形成部の端部を固定する固定部材を示す拡大斜視図である。
【図４】  図１および図２の画像形成装置に用いる雄ネジの他の例を示す斜視図である。
【図５】  従来の画像形成装置を示す概略側面図である。
【図６】  図５の画像形成装置の自動原稿送り装置を開放した状態を示す概略側面図である。
【図７】  従来の他の画像形成装置を示す概略側面図である。
【符号の説明】
１  画像形成装置、２  画像形成部（プリンタ部）、３  固定支持部材、４  画像読取部（スキャナ）、５  ヒンジ部材、６  自動原稿送り装置、７  固定部材、８  弾性部材、９、１０  取付片、１１、１２  雄ネジ、１３  固定部材、１４  弾性横軸、１５、１６  取付片、１７  雄ネジ、１８  固定支持部材、１９  雄ネジ、２０  雄ネジ、２０ａ  弾性部材。